(57)【要約】【課題】  いわゆるバッチ式の運転動作を行う調湿装置において、床置きに適した装置の構成を得る。【解決手段】  調湿装置（10）の冷媒回路では、第１及び第２熱交換器（61,62）の表面に吸着材が担持されていて、四方切換弁を操作することで冷媒の循環方向が切り換え可能となっている。そして、調湿装置（10）は、上記四方切換弁と空気の流通経路を切り換える切換機構とを操作することにより、蒸発器となっている一方の熱交換器（61,62）で第１空気を除湿し、凝縮器となっている他方の熱交換器（61,62）で第２空気を加湿する。このような調湿装置（10）において、ケーシング（11）の内部空間（16）を第１仕切板（31）によって左右に区画して、その一方の第１空間（17）内に上記熱交換器（61，62）を配置し、他方の第２空間内には給気用ファン（25）及び排気用ファン（26）を配置する。【選択図】  図１
2005283045.tif 000002
【特許請求の範囲】
【請求項１】
第１空気及び第２空気を取り込み、除湿した第１空気又は加湿した第２空気のいずれか一方を室内へ供給するとともに、他方を室外へ排出する調湿装置であって、
それぞれの表面に吸着材を担持する第１及び第２の熱交換器（61，62）が接続されて冷凍サイクルを行うとともに、冷媒の循環方向が反転可能に構成された冷媒回路（60）と、
内部に形成された空気通路内に上記熱交換器（61，62）が配設されるケーシング（11）と、
上記ケーシング（11）内の空気通路に配設される給気用ファン（25）及び排気用ファン（26）と、
上記熱交換器（61，62）のうち蒸発器になっている方を第１空気が通過し、凝縮器となっている方を第２空気が通過するように、上記ケーシング（11）内での空気の流通経路を上記冷媒回路（60）での冷媒循環方向に応じて切り換える切換機構とを備え、
上記ケーシング（11）は、箱状に形成されて立設されているとともに、その内部の空間（16）が略水平横方向に並ぶ２つの空間に区画されていて、その一方の第１空間（17）内には上記第１及び第２の熱交換器（61，62）が配置され、他方の第２空間（18）内には上記給気用ファン（25）及び排気用ファン（26）が配置されていることを特徴とする調湿装置。
【請求項２】
請求項１において、
熱交換器（61，62）の収容される第１空間（17）を形成する部分が本体部（92）を構成するとともに、ファン（25，26）の収容される第２空間（18）を形成する部分が機械室部（91）を構成し、
上記本体部（92）と機械室部（91）とが組み合わされて一体になることを特徴とする調湿装置。
【請求項３】
請求項２において、
本体部（92）は、熱交換器（61，62）の収容される熱交換室（41，42）を区画形成する熱交換室部（93）と、内部が該熱交換室（41，42）に連通して空気通路の一部を構成する空気チャンバ部（94）とが組み合わされて一体になったものであることを特徴とする調湿装置。
【請求項４】
請求項１において、
ケーシング（11）には、給気用ファン（25）によって吹き出される空気を室内へ供給するための給気口（24）と、排気用ファン（26）によって吹き出される空気を室外へ排出するための排気口（23）とが設けられていて、該給気口（24）及び排気口（23）の少なくとも一方がケーシング（11）の上方に向かって開口していることを特徴とする調湿装置。
【請求項５】
請求項４において、
給気口（24）及び排気口（23）のいずれもがケーシング（11）の上方に向かって開口していることを特徴とする調湿装置。
【請求項６】
請求項１において、
第１空間（17）は、少なくとも、第１及び第２の熱交換器（61，62）の収容される熱交換室（41，42）と、該熱交換室（41，42）へ室外及び室内の空気を導入するための流入空気チャンバとに区画されていて、
上記流入空気チャンバ内には、フィルタ（81，82）が配設されていることを特徴とする調湿装置。
【請求項７】
請求項６において、
熱交換器（61，62）は、ケーシング（11）の上下方向に空気が通過するように熱交換室（41，42）内で前後に並んで配設されており、
流入空気チャンバは、上下に区画されていて、その上下の空間（43，45）内には、それぞれ、フィルタ（81，82）が配設されていることを特徴とする調湿装置。
【請求項８】
請求項１において、
熱交換器（61，62）は、ケーシング（11）の上下方向に空気が通過するように該ケーシング（11）内で前後に並んで配設されるとともに、該熱交換器（61，62）の上面及び下面の少なくとも一方に沿ってフィルタ（83，84，85，86）が配設されていることを特徴とする調湿装置。
【請求項９】
請求項１において、
熱交換器（61，62）は、ケーシング（11）の前後方向に空気が通過するように該ケーシング（11）内で上下に並んで配設されるとともに、該熱交換器（61，62）の前面及び背面の少なくとも一方に沿ってフィルタ（83，84，85，86）が配設されていることを特徴とする調湿装置。
【請求項１０】
請求項９において、
フィルタ（83，85）は、熱交換器（61，62）の前面に沿って配置されていることを特徴とする調室装置。
【請求項１１】
請求項１において、
冷媒回路（60）の圧縮機（63）がケーシング（11）の外に配置されていることを特徴とする調湿装置。
【請求項１２】
請求項１１において、
ケーシング（11）は、屋内に配置されている一方、圧縮機（63）は屋外に配置されていることを特徴とする調湿装置。
【請求項１３】
請求項１１において、
圧縮機（63）は、屋内の機械室に配置されていることを特徴とする調湿装置。
【請求項１４】
請求項１１から１３までのいずれか一つにおいて、
圧縮機（63）は、密閉容器状の圧縮機ケーシング（66）内に配置されていることを特徴とする調湿装置。
【発明の詳細な説明】
【技術分野】
【０００１】
本発明は、空気の湿度調節を行う調湿装置であって、いわゆるバッチ式の運転動作を行うものに関する。
【背景技術】
【０００２】
従来より、例えば特許文献１に開示されているように、吸着材と冷凍サイクルとを利用して空気の湿度調節を行う調湿装置が知られている。この調湿装置は、いわゆるバッチ式の運転動作を行うように構成されている。
【０００３】
上記調湿装置は、２つの吸着ユニットを備えている。各吸着ユニットは、吸着材が充填されたメッシュ容器と、このメッシュ容器を貫通する冷媒管とによって構成されている。各吸着ユニットの冷媒管は、冷凍サイクルを行う冷媒回路に接続されている。また、上記調湿装置には、各吸着ユニットへ送られる空気を切り換えるためのダンパが設けられている。
【０００４】
上記調湿装置の運転中には、冷媒回路の圧縮機が運転され、２つの吸着ユニットの一方が蒸発器となって他方が凝縮器となる冷凍サイクルが行われる。また、冷媒回路では、四方切換弁を操作することによって冷媒の循環方向が切り換わり、各吸着ユニットは交互に蒸発器として機能したり凝縮器として機能したりする。
【０００５】
上記調湿装置の加湿運転では、室外から室内へ向けて流れる給気を凝縮器となる吸着ユニットへ導き、吸着材から脱離した水分で給気を加湿する。その際、室内から室外へ向けて流れる排気を蒸発器となる吸着ユニットへ導き、排気中の水分を吸着材に回収する。一方、調湿装置の除湿運転では、室外から室内へ向けて流れる給気を蒸発器となる吸着ユニットへ導き、給気中の水分を吸着材に吸着させる。その際、室内から室外へ向けて流れる排気を凝縮器となる吸着ユニットへ導き、吸着材から脱離した水分を排気と共に室外へ排出する。
【０００６】
尚、上記吸着ユニットと同様の機能を有するものとしては、例えば特許文献２に開示されているような熱交換部材も知られている。この熱交換部材では、銅管の周囲に板状のフィンが設けられ、この銅管やフィンの表面に吸着材が担持されている。そして、この熱交換部材は、銅管内を流れる流体によって吸着材の加熱や冷却を行うように構成されている。
【０００７】
また、バッチ式の運転動作を行う調湿装置としては、例えば特許文献３に開示されたものも知られている。この調湿装置は、多数の空気通路が形成された吸着素子を２つ備えている。そして、第１の吸着素子で第１空気を除湿するときは、ヒートポンプの凝縮器で加熱した第２空気を第２の吸着素子へ送って吸着材を再生する。逆に、第２の吸着素子で第１空気を除湿するときは、加熱した第２空気を第１の吸着素子へ送って吸着材を再生する。この調湿装置は、上記の２つの動作を交互に繰り返し、除湿した第１空気又は加湿した第２空気を室内へ供給する。
【特許文献１】特開平８−１８９６６７号公報
【特許文献２】特開平７−２６５６４９号公報
【特許文献３】特開２００３−２８４５８号公報
【発明の開示】
【発明が解決しようとする課題】
【０００８】
ところで、ビル内のフロアのような広い空間を調湿する場合には、容量の大きい調湿装置を使用する必要があり、そのような大容量の装置でありながら、壁際や機械室内に設置可能なコンパクトな床置き型の調湿装置が望まれている。しかしながら、上述のような従来の調湿装置には床置き型のものはなく、当然のことながら、床置きに適した調湿装置の構成についても何ら考慮されていなかった。
【０００９】
本発明は、かかる点に鑑みてなされたものであり、その目的とするところは、いわゆるバッチ式の運転動作を行う調湿装置において、床置きに適したコンパクトな調湿装置の構成を得ることにある。
【課題を解決するための手段】
【００１０】
前記目的を達成するために、本発明の解決手段では、ケーシング（11）の内部を左右に区画して、その一方の第１空間（17）内に、表面に吸着材が担持された２つの熱交換器（61，62）を配置する一方、他方の第２空間（18）内にファン（25，26）等を配置した。
【００１１】
具体的には、請求項１の発明では、第１空気及び第２空気を取り込み、除湿した第１空気又は加湿した第２空気のいずれか一方を室内へ供給するとともに、他方を室外へ排出する調湿装置を対象とする。
【００１２】
そして、それぞれの表面に吸着材を担持する第１及び第２の熱交換器（61，62）が接続されて冷凍サイクルを行うとともに、冷媒の循環方向が反転可能に構成された冷媒回路（60）と、内部に形成された空気通路内に上記熱交換器（61，62）が配設されるケーシング（11）と、上記ケーシング（11）内の空気通路に配設される給気用ファン（25）及び排気用ファン（26）と、上記熱交換器（61，62）のうち蒸発器になっている方を第１空気が通過し、凝縮器となっている方を第２空気が通過するように、上記ケーシング（11）内での空気の流通経路を上記冷媒回路（60）での冷媒循環方向に応じて切り換える切換機構とを備え、上記ケーシング（11）は、箱状に形成されて立設されているとともに、その内部の空間（16）が略水平横方向に並んだ２つの空間に区画されていて、その一方の第１空間（17）内には上記第１及び第２の熱交換器（61，62）が配置され、他方の第２空間（18）内には上記給気用ファン（25）及び排気用ファン（26）が配置されているものとする。
【００１３】
この構成により、表面に吸着材を担持した２つの熱交換器（61，62）が接続された冷媒回路（60）の冷媒循環方向の切り換えに応じて、ケーシング（11）内の空気の流通経路を切り換えることで、第１空気を蒸発器として作用する上記熱交換器（61，62）の一方に通過させて除湿し、第２空気を凝縮器として作用する上記熱交換器（61，62）の他方に通過させて加湿する調湿装置を実現することができるとともに、例えば、フロアや機械室の床面上に立設されたケーシング（11）において、その内部を横方向に並ぶ左右２つの空間に分割して、その一方の第１空間（17）内に上記熱交換器（61，62）を配置し、他方の第２空間（18）内にファン（25，26）等を配置することで、床置き型の調湿装置の構成を得ることができる。
【００１４】
そして、上述のように、熱交換器（61，62）及びファン（25，26）をケーシング（11）内に左右に並べて配置することで、ケーシング（11）内の上下または前後に配置する場合に比べて、装置の高さ寸法または奥行き寸法を小さくすることができ、壁際や機械室などのように設置スペースに制約がある場所にも設置が可能になる。
【００１５】
しかも、上述のように、熱交換器（61，62）とファン（25，26）とを左右に分けて配置して装置全体の高さを抑えることで、複数台の装置を積み上げることが可能になり、広い室内を調湿するために複数台の調湿装置を設置したいというニーズがある場合でもそのニーズに応えつつ、複数の装置をよりコンパクトに配置することが可能になる。
【００１６】
ところで、調湿装置を床置き型にした場合、装置全体が比較的、大型になるため、例えば、ビル内に設置しようとする際などには、エレベータや搬入口等の大きさによって、搬入作業が困難になる場合も生じ得る。そのため、調湿装置は、熱交換器（61，62）の収容される第１空間（17）を形成する部分が本体部（92）を構成するとともに、ファン（25，26）の収容される第２空間（18）を形成する部分が機械室部（91）を構成し、上記本体部（92）と機械室部（91）とが組み合わされて一体になるのが好ましい（請求項２の発明）。
【００１７】
これにより、調湿装置を本体部（92）と機械室部（91）とに分割して搬送することが可能になり、エレベータや搬入口等の大きさに制約を受けることなく容易に建物内に搬入することができる。また、設置工事の際には、ユニット化された各部を組み合わせることによって一体の調湿装置とすることができるため、部品から組み立てる場合に比べて設置工事が比較的、容易になる。
【００１８】
特に、本体部（92）は、熱交換器（61，62）の収容される熱交換室（41，42）を区画形成する熱交換室部（93）と、内部が該熱交換室（41，42）に連通して空気通路の一部を構成する空気チャンバ部（94）とが組み合わされて一体になったものであるのが好ましい（請求項３の発明）。このように、本体部（92）を熱交換室部（93）と空気チャンバ部（94）とを組み合わせて構成することで、搬入時には、本体部（92）をさらに小さいユニットにして搬送できるため、搬入作業がより容易になる。
【００１９】
そして、このように調湿装置をユニットに分割して、複数の熱交換室部（93）を積み上げ、それらの熱交換室部（93）に共通の機械室部や空気チャンバ部を接続することで、複数の熱交換室部（93）を有する調湿装置を構成することができる。つまり、大容量化等のニーズに応じて、調湿装置の構成を変えて、容量を変化させることが可能になる。しかも、単純に調湿装置を上下に積み重ねる場合に比べて、機械室部及び空気チャンバ部を共通化することができ、コストの低減を図ることができる。
【００２０】
また、上述の構成において、ケーシング（11）には、給気用ファン（25）によって吹き出される空気を室内へ供給するための給気口（24）と、排気用ファン（26）によって吹き出される空気を室外へ排出するための排気口（23）とが設けられていて、該給気口（24）及び排気口（23）の少なくとも一方がケーシング（11）の上方に向かって開口しているのが好ましい（請求項４の発明）。そして、より好ましくは、給気口（24）及び排気口（23）のいずれもがケーシング（11）の上方に向かって開口している（請求項５の発明）ものとする。これにより、ケーシング（11）の給気口（24）及び排気口（23）に接続される比較的、大径の配管を、屈曲させることなくケーシング（11）の上方に向かって真っ直ぐ伸ばすことができ、配管も含めた装置全体の幅寸法をコンパクトにすることができる。
【００２１】
さらに、上述の構成において、第１空間（17）は、少なくとも、第１及び第２の熱交換器（61，62）の収容される熱交換室（41，42）と、該熱交換室（41，42）へ室外及び室内の空気を導入するための流入空気チャンバとに区画されていて、上記流入空気チャンバ内には、フィルタ（81，82）が配設されている（請求項６の発明）ものとする。このように、フィルタ（81，82）を設けることによって、室外からの砂塵等が室内に入るのを防止できるとともに、室内外からの埃等が熱交換器（61，62）に付着するのを防止することができる。そして、熱交換室（41，42）の上流側に位置するケーシング（11）の流入空気チャンバ内にフィルタ（81，82）を配置することで、室外及び室内から熱交換室（41，42）へ流入する空気中の砂塵等を効率よく集塵することができる。
【００２２】
特に、熱交換器（61，62）は、ケーシング（11）の上下方向に空気が通過するように熱交換室（41，42）内で前後に並んで配設されていて、流入空気チャンバが、上下に区画されている場合には、その上下の空間（43，45）内に、それぞれ、フィルタ（81，82）を配設する（請求項７の発明）のが好ましい。こうすれば、ケーシング（11）前側から容易にフィルタ（81，82）の清掃作業等を行うことができ、メンテナンス性を向上することができる。
【００２３】
一方で、熱交換器（61，62）を、ケーシング（11）の上下方向に空気が通過するように該ケーシング（11）内に前後に並べて配設し、該熱交換器（61，62）の上面及び下面の少なくとも一方に沿ってフィルタ（83，84，85，86）を配設してもよい（請求項８の発明）。また、熱交換器（61，62）を、ケーシング（11）の前後方向に空気が通過するように該ケーシング（11）内に上下に並べて配設し、該熱交換器（61，62）の前面及び背面の少なくとも一方に沿ってフィルタ（83，84，85，86）を配設してもよい（請求項９の発明）。こうすることで、フィルタ（83，84，85，86）の通風面積を大きくすることができ、フィルタ（83，84，85，86）における圧損を小さくすることができる。
【００２４】
さらに、フィルタ（83，85）は、熱交換器（61，62）の前面に沿って配置されている（請求項１０の発明）のが好ましい。このようにフィルタ（83，85）を熱交換器（61，62）のケーシング（11）前方側に配設することで、該フィルタ（83，85）の清掃作業等がケーシング（11）前面から容易に行えるようになり、メンテナンス性を向上することができる。
【００２５】
上述の構成において、冷媒回路（60）の圧縮機（63）はケーシング（11）の外に配置されている（請求項１１の発明）のが好ましい。そして、より好ましくは、ケーシング（11）は、屋内に配置されている一方、圧縮機（63）は屋外に配置されている（請求項１２の発明）ものとする。また、上述のように、圧縮機（63）を調湿装置の本体とは別置きにする場合、圧縮機（63）は、屋内の機械室に配置されている（請求項１３の発明）のが好ましい。このように、運転時に騒音源となる圧縮機（63）を調湿装置のケーシング（11）外に設置することで、調湿装置本体の騒音を低減することができる。しかも、調湿装置の本体ケーシング（11）を屋内に配置して、圧縮機（63）を屋外に配置するか、もしくは圧縮機（63）を屋内の機械室に設置すれば、調湿装置の配置される屋内での騒音を大幅に低減することができ、より効果的である。
【００２６】
また、圧縮機（63）別置きの場合には、圧縮機（63）は、密閉容器状の圧縮機ケーシング（66）内に配置されている（請求項１４の発明）のが好ましい。こうすれば、圧縮機（63）から生じる騒音は圧縮機ケーシング（66）によって遮断され、圧縮機（63）の騒音をさらに効果的に低減することができる。
【発明の効果】
【００２７】
請求項１の発明に係る調湿装置によれば、ケーシング（11）内部を横方向に２つの空間に区画して、その一方の第１空間（17）内に熱交換器（61，62）を配置し、他方の第２空間（18）内にはファン（25，26）を配置することで、床置き型の調湿装置の構成を実現することができる。
【００２８】
請求項２及び３の発明によれば、本体部（92）と機械室部（91）とが組み合わされて一体の調湿装置になるようにしたため、搬入作業が容易になり、設置工事を比較的、容易に行うことができるようになる。さらに、本体部（92）を熱交換室部（93）と空気チャンバ部（94）とに分けることで、設置工事の際の搬入作業がより容易になる。しかも、ユニット化された熱交換室部（93）を積み上げることによって調湿装置を構成できるため、ニーズに応じて容量を変化させることができる。
【００２９】
請求項４及び５の発明によれば、ケーシング（11）の給気口（24）及び排気口（23）を該ケーシング（11）の上方に向かって開口するように形成したため、それらの給気口（24）及び排気口（23）に接続される配管を屈曲させることなく、真っ直ぐ上方に延ばすことができ、配管も含めた装置全体の幅寸法を小さくすることができる。
【００３０】
請求項６及び７の発明によれば、熱交換室（41，42）に室外及び室内の空気を導入するための流入空気チャンバ内にフィルタ（81，82）を配設したので、室外及び室内からの砂塵等を効率良く集塵することができ、熱交換器（61，62）を確実に保護することができる。さらに、ケーシング（11）の上下方向に空気が通過するように熱交換器（61，62）が配設されていて、上記流入空気チャンバが上下に区画されている場合には、その上下の空間（43，45）内にそれぞれフィルタ（81，82）を配設することで、上述のような効果に加えて、ケーシング（11）前側からのフィルタ（81，82）清掃作業が容易になり、メンテナンス性を向上することができる。
【００３１】
請求項８乃至１０の発明によれば、熱交換器（61，62）を空気が上下方向に通過する場合には、該熱交換器（61，62）の上下面の少なくとも一方に沿ってフィルタ（83，84，85，86）を設け、熱交換器（61，62）を空気が前後方向に通過する場合には、該熱交換器（61，62）の前面及び背面の少なくとも一方に沿ってフィルタ（83，84，85，86）を設けたので、該フィルタ（83，84，85，86）を空気が通過する際の圧損を小さくすることができる。さらに、フィルタ（83，85）を熱交換器（61，62）の前面側に設けることで、フィルタ（83，85）清掃等のメンテナンス性を向上することができる。
【００３２】
請求項１１乃至１４の発明によれば、冷媒回路（60）の圧縮機（63）をケーシング（11）とは別置きにしたので、調湿装置本体からの騒音を低減することができる。そして、圧縮機（63）を屋外に設置するか、もしくは機械室内に配置することで、調湿装置本体の設置される屋内の騒音を効果的に低減することができる。さらに、圧縮機（63）を圧縮機ケーシング（66）によって覆うことでより効果的に騒音を低減することができる。
【発明を実施するための最良の形態】
【００３３】
（実施形態１）
以下、本発明の実施形態１を図面に基づいて詳細に説明する。尚、以下の好ましい実施形態の説明は、本質的に例示に過ぎず、本発明、その適用物或いはその用途を制限することを意図するものではない。
【００３４】
図１に示すように、本実施形態の調湿装置（10）は、室内空気の除湿と加湿とを行う床置き型の装置であり、箱状のケーシング（11）を備えている。尚、図１(Ｂ)は、調湿装置（10）の正面図である。また、以下の説明における「右」「左」は、何れも参照する図面におけるものを意味する。
【００３５】
上記ケーシング（11）内には、冷媒回路（60）等が収納されている。この冷媒回路（60）は、第１熱交換器（61）、第２熱交換器（62）、圧縮機（63）、四方切換弁（64）、及び電動膨張弁（65）が設けられた閉回路であって、冷媒が充填されている。冷媒回路（60）では、充填された冷媒を循環させることにより蒸気圧縮式の冷凍サイクルが行われる。尚、冷媒回路（60）の詳細については後述する。
【００３６】
上記ケーシング（11）は、正面視が概ね長方形状で扁平な箱型に形成されていて、長手方向が水平方向になるように、例えば壁際や機械室内等に配置される。上記ケーシング（11）の上面板（15）には、その右側面板（12）寄りのケーシング（11）後側に室外空気吸込口（21）が形成され、ケーシング（11）前側に室内空気吸込口（22）が形成されている。また、上面板（15）には、左側面板（13）寄りに、給気口である給気吹出口（24）が形成されている。一方、ケーシング（11）の左側面板（13）には、排気口である排気吹出口（23）が形成されている。
【００３７】
このように、給気吹出口（24）をケーシング（11）の上方に向かって開口するように設ければ、該給気吹出口（24）に接続される配管を屈曲させることなくケーシング（11）の上方に向かって真っ直ぐ延びるように形成することができるため、該配管が装置から横方向に大きく突出することなく、配管を含めた装置全体の幅寸法を小さくすることができる。
【００３８】
上記ケーシング（11）の内部には、左右方向の中心部よりも左側面板（13）寄りに第１仕切板（31）が設けられていて、ケーシング（11）の内部空間（16）は、この第１仕切板（31）によって、左右に仕切られている。そして、第１仕切板（31）の右側が第１空間（17）となり、第１仕切板（31）の左側が第２空間（18）となっている。
【００３９】
上記ケーシング（11）の第２空間（18）には、第５仕切板（35）が設けられている。この第５仕切板（35）は、第２空間（18）の奥行き方向の中央部を縦断するように設けられ、この第２空間（18）を前後に仕切っている。そして、第５仕切板（35）の後側の空間が第１流出路（44）を構成し、前側の空間が第２流出路（46）を構成している（図１（Ａ）参照）。
【００４０】
また、上記第２空間（18）の第２流出路（46）内には、冷媒回路（60）の圧縮機（63）が配置されていて、図１には図示しないが、冷媒回路（60）の電動膨張弁（65）や四方切換弁（64）も第２空間（18）内に配置されている。更に、この第２空間（18）の第１流出路（44）内には給気用ファン（25）が収納されていて、第２流出路（46）内には、排気ファン（26）が収納されている。この給気ファン（25）及び排気ファン（26）は、回転軸方向に向かって開口する吸込口（25a，26a）から空気を吸い込み、その吸い込んだ空気を径方向に吹き出すシロッコファンであり、該吸込口（25a，26a）が、それぞれ、上記第５仕切板（35）に形成された穴部を介して第２流出路（46）及び第１流出路（44）に向かって開口するように配置されている。つまり、排気ファン（26）は、ケーシング（11）の後方に向かって吸込口（26a）が開口し、給気ファン（25）は、ケーシング（11）の前方に向かって吸込口（25a）が開口するように、それぞれ立設されている。
【００４１】
また、上記ファン（25，26）は、その厚み方向の寸法よりも径方向の寸法の方が大きくなっており、上述のように、回転軸方向に向かって開口する吸込口（25a，26a）をケーシング（11）の前後方向に向けて、すなわち図１（Ｂ）に示すようにケーシング（11）前方から見て横向きにファンを立設することで、ケーシング（11）の奥行き寸法を小さくすることができる。なお、本実施形態では、排気ファン（26）及び給気ファン（25）として、シロッコファンを用いているが、この限りではなく、幅方向の寸法よりも径方向の寸法の方が大きい多翼ファンであればどのようなファンを用いても良い。
【００４２】
そして、上記排気ファン（26）及び給気ファン（25）は、それぞれ、排気吹出口（23）及び給気吹出口（24）に接続されていて、これにより、上記第１流出路（44）は、排気ファン（26）を介して排気吹出口（23）に連通し、上記第２流出路（46）は、給気ファン（25）を介して給気吹出口（24）に連通している。
【００４３】
上記ケーシング（11）の第１空間（17）には、第２仕切板（32）と第３仕切板（33）とが設けられている。第２仕切板（32）は、第１空間（17）を左右２つの空間に仕切るように右側面板（12）寄りに設けられていて、第３仕切板（33）は、第２仕切板（32）と第１仕切板（31）とに挟まれた空間内で、第１空間（17）の上下方向の中央に配設されている。すなわち、第２仕切板（32）と第１仕切板（31）とに挟まれた空間は、第３仕切板（33）によって上下に仕切られている。このうち、下側の空間は、第１熱交換室（41）を構成しており、その内部に第１熱交換器（61）が配置されている。一方、上側の空間は、第２熱交換室（42）を構成しており、その内部に第２熱交換器（62）が配置されている。
【００４４】
第１，第２熱交換器（61,62）は、それぞれ、全体として厚肉の直方体形状に形成されていて、空気がケーシング（11）の前後方向に通過するとともに、長手方向がケーシング（11）の左右方向になるように、第１熱交換室（41）及び第２熱交換室（42）内に設置されている。なお、第１，第２熱交換器（61,62）の詳細については後述する。
【００４５】
上記第１空間（17）のうち、第２仕切板（32）とケーシング（11）の右側面板（12）とに挟まれた空間内には、その空間の奥行き方向の中央部を縦断するように第４仕切板（34）が設けられていて、これにより、空間が前後に仕切られている（図１(Ｃ)を参照）。そして、第４仕切板（34）の前側の空間が第１流入路（43）を構成し、後側の空間が第２流入路（45）を構成していて、第１流入路（43）は室内空気吸込口（22）に連通し、第２流入路（45）は室外空気吸込口（21）に連通している。
【００４６】
この第１流入路（43）及び第２流入路（45）は、流入空気チャンバとしての機能を有しており、詳しくは後述するが、室内空気吸込口（22）及び室外空気吸込口（21）から送り込まれる室内外の空気を第１熱交換室（41）及び第２熱交換室（42）に導入する通路になっている。
【００４７】
そして、上記第１流入路（43）及び第２流入路（45）内には、それぞれ、図１及び図２に示すように、室外及び室内からの砂塵等を集塵するためのフィルタ（81，82）が配設されている。このフィルタ（81，82）は、平面視で略長方形状に形成されたもので、第１流入路（43）及び第２流入路（45）内に、ケーシング（11）上方から見て第４仕切板（34）に対して斜めになるように立設されている。このように、室外及び室内の空気をそれぞれ第１及び第２熱交換室（41，42）に導入するための第１及び第２流入路（43，45）内にフィルタ（81，82）を配設することで、室外及び室内からの砂塵等を効率良く除去することができ、第１及び第２熱交換器（61，62）を確実に保護することができる。
【００４８】
上記第２仕切板（32）には、４つの開口（51,52,53,54）が形成されている（図１(Ｃ)を参照）。第２仕切板（32）の右下部に形成された第１開口（51）は、第１熱交換室（41）における第１熱交換器（61）の前側を第１流入路（43）と連通させている。第２仕切板（32）の右上部に形成された第２開口（52）は、第２熱交換室（42）における第２熱交換器（62）の前側を第１流入路（43）と連通させている。第２仕切板（32）の左下部に形成された第３開口（53）は、第１熱交換室（41）における第１熱交換器（61）の後側を第２流入路（45）と連通させている。第２仕切板（32）の左上部に形成された第４開口（54）は、第２熱交換室（42）における第２熱交換器（62）の後側を第２流入路（45）と連通させている。
【００４９】
一方、上記第１空間（17）と第２空間（18）とを左右に区画する第１仕切板（31）にも、４つの開口（55,56,57,58）が形成されている（図１(Ａ)を参照）。第１仕切板（31）の右下部に形成された第５開口（55）は、第１熱交換室（41）における第１熱交換器（61）の前側を第２流出路（46）と連通させている。第１仕切板（31）の右上部に形成された第６開口（56）は、第２熱交換室（42）における第２熱交換器（62）の前側を第２流出路（46）と連通させている。第１仕切板（31）の左下部に形成された第７開口（57）は、第１熱交換室（41）における第１熱交換器（61）の後側を第１流出路（44）と連通させている。第１仕切板（31）の左上部に形成された第８開口（58）は、第２熱交換室（42）における第２熱交換器（62）の後側を第１流出路（44）と連通させている。
【００５０】
上記第２仕切板（32）の各開口（51,52,53,54）、及び第１仕切板（31）の各開口（55,56,57,58）は、それぞれが開閉自在のダンパ（図示省略）を備えている。これらの各開口（51,…,55,…）は、ダンパを開閉することによって開口状態と閉鎖状態とに切り換わる。そして、各開口（51,…,55,…）に設けられたダンパは、ケーシング（11）内での第１空気及び第２空気の流通経路を切り換える切換機構を構成している。
【００５１】
ところで、上述のような構成を有する床置き型の調湿装置（10）の場合、装置全体が大型化するため、装置設置時の搬入の際には、エレベータや搬入口の大きさによって制限を受けて、スムーズに搬入作業を行えない可能性もある。そのため、図１２に示すように、調湿装置（10）全体を分割可能な構造にするのが好ましい。
【００５２】
具体的には、調湿装置（10）は、ケーシング（11）の内部を左右に区画する第１仕切板（31）で左右に分割されて、ファン等の収納される第２空間（18）を形成する機械室部（91）と、熱交換器（61，62）の収容される第１空間（17）を形成する本体部（92）とに分けられているとともに、この本体部（92）がさらに第２仕切板（32）で左右に分割されて、熱交換室（41，42）を形成する熱交換室部（93）と空気チャンバ部（94）とに分けられている。
【００５３】
より詳しくは、ケーシング（11）は、上面板（15）及び底面板（14）が、それぞれ、第１仕切板（31）及び第２仕切板（32）で左右方向に３つに分割されている。そして、ケーシング（11）の左側部分に、圧縮機（63）、給気用ファン（25）及び排気用ファン（26）、第５仕切板（35）が配置された状態でユニット化されたものが機械室部（91）であり、内部に熱交換室（41，42）が区画形成されるケーシング（11）の中央部分に熱交換器（61，62）が収納された状態でユニット化されたものが熱交換室部（93）である。なお、この熱交換室部（93）には、第１仕切板（31）及び第２仕切板（32）に形成された各開口（51,…,55,…）の開閉状態を切り換えるダンパも含まれている。
【００５４】
また、ケーシング（11）の右側部分に第４仕切板（34）及びフィルタ（81，82）が配置された状態でユニット化されたものが空気チャンバ部（94）になっている。
【００５５】
そして、上述のように構成される３つのユニット（機械室部（91）、熱交換室部（93）、空気チャンバ部（94））は、ボルト締結等で容易に組み立て可能になっていて、別々に設置スペースまで搬入された後、組み立てられて一体の調湿装置（10）となる。これにより、装置搬入時にエレベータや搬入口等の大きさによって制限を受けることなく、容易に搬入作業を行うことができる。
【００５６】
しかも、上記熱交換室部（93）を複数個、積み上げて、それらに共通の機械室部及び空気チャンバ部を接続させることで、一体の調湿装置（10）を構成することができ、大容量化のニーズが或る場合には、そのニーズに応じて調湿装置の容量を変化させることができる。この場合、単純に複数台の調湿装置を上下に積み重ねる場合に比べて、機械室部及び空気チャンバ部を共通化することができ、コストの低減を図ることができる。
【００５７】
次に、上記冷媒回路（60）について、図３を参照しながら説明する。
【００５８】
上記圧縮機（63）は、その吐出側が四方切換弁（64）の第１のポートに接続され、その吸入側が四方切換弁（64）の第２のポートに接続されている。第１熱交換器（61）の一端は、四方切換弁（64）の第３のポートに接続されている。第１熱交換器（61）の他端は、電動膨張弁（65）を介して第２熱交換器（62）の一端に接続されている。第２熱交換器（62）の他端は、四方切換弁（64）の第４のポートに接続されている。
【００５９】
上記圧縮機（63）は、いわゆる全密閉型に構成されている。図示しないが、この圧縮機（63）の電動機には、インバータを介して電力が供給されている。このインバータの出力周波数を変更すると、上記電動機の回転速度が変化し、それに伴って圧縮機（63）の押しのけ容積が変化する。つまり、上記圧縮機（63）は、その容量が可変に構成されている。
【００６０】
上記第１及び第２熱交換器（61,62）は、何れも、伝熱管と多数のフィンとを備えた、いわゆるクロスフィン型のフィン・アンド・チューブ熱交換器により構成されている。また、第１及び第２熱交換器（61,62）の外表面には、その概ね全面に亘り、例えばゼオライト等の吸着材が担持されている。そして、第１熱交換器（61）が第１吸着ユニットを構成し、第２熱交換器（62）が第２吸着ユニットを構成している。
【００６１】
上記四方切換弁（64）は、第１のポートと第３のポートが連通して第２のポートと第４のポートが連通する状態（図３(Ａ)に示す状態）と、第１のポートと第４のポートが連通して第２のポートと第３のポートが連通する状態（図３(Ｂ)に示す状態）とに切り換え自在に構成されている。そして、冷媒回路（60）は、この四方切換弁（64）を切り換えることにより、第１熱交換器（61）が凝縮器として機能して第２熱交換器（62）が蒸発器として機能する第１冷凍サイクル動作と、第１熱交換器（61）が蒸発器として機能して第２熱交換器（62）が凝縮器として機能する第２冷凍サイクル動作とを切り換えて行うように構成されている。
【００６２】
−調湿装置の調湿動作−
上記調湿装置（10）の調湿動作について説明する。この調湿装置（10）では、換気除湿運転と換気加湿運転とが切り換え可能になっている。また、上記調湿装置（10）において、上記の各運転中は第１動作と第２動作とが所定の切換時間間隔で交互に繰り返される。
【００６３】
《換気除湿運転》
換気除湿運転時において、調湿装置（10）では、給気ファン（25）及び排気ファン（26）の運転により、室外空気（OA）を第１空気として取り込んで室内に供給する一方、室内空気（RA）を第２空気として取り込んで室外に排出する。
【００６４】
まず、換気除湿運転時の第１動作について、図３〜図５を参照しながら説明する。この第１動作では、第１熱交換器（61）において吸着材の再生が行われ、第２熱交換器（62）において第１空気である室外空気（OA）の除湿が行われる。
【００６５】
第１動作時において、冷媒回路（60）では、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【００６６】
具体的に、圧縮機（63）から吐出された冷媒は、第１熱交換器（61）で放熱して凝縮し、その後に電動膨張弁（65）へ送られて減圧される。減圧された冷媒は、第２熱交換器（62）で吸熱して蒸発し、その後に圧縮機（63）へ吸入されて圧縮される。そして、圧縮された冷媒は、再び圧縮機（63）から吐出される。
【００６７】
また、第１動作時において、切換機構を構成する各開口（51,…,55,…）のダンパは、換気除湿運転時の第１流通状態に設定される。これにより、第２開口（52）と第３開口（53）と第５開口（55）と第８開口（58）とが閉鎖状態になり、第１開口（51）と第４開口（54）と第６開口（56）と第７開口（57）とが開口状態になる。そして、図４及び図５に示すように、第１熱交換器（61）へ第２空気としての室内空気（RA）が供給され、第２熱交換器（62）へ第１空気としての室外空気（OA）が供給される。
【００６８】
具体的に、室内空気吸込口（22）より流入した第２空気は、第１流入路（43）から第１開口（51）を通って第１熱交換室（41）へ送り込まれる。第１熱交換室（41）では、第２空気が第１熱交換器（61）を前から後へ向かって通過してゆく。第１熱交換器（61）では、外表面に担持された吸着材が冷媒により加熱され、この吸着材から水分が脱離する。吸着材から脱離した水分は、第１熱交換器（61）を通過する第２空気に付与される。第１熱交換器（61）で水分を付与された第２空気は、第１熱交換室（41）から第７開口（57）を通って第１流出路（44）へ流出する。その後、第２空気は、排気ファン（26）へ吸い込まれ、排気吹出口（23）から排出空気（EA）として室外へ排出される。
【００６９】
一方、室外空気吸込口（21）より流入した第１空気は、第２流入路（45）から第４開口（54）を通って第２熱交換室（42）へ送り込まれる。第２熱交換室（42）では、第１空気が第２熱交換器（62）を後から前へ向かって通過してゆく。第２熱交換器（62）では、その表面に担持された吸着材に第１空気中の水分が吸着される。その際に生じる吸着熱は、冷媒が吸熱する。第２熱交換器（62）で除湿された第１空気は、第２熱交換室（42）から第６開口（56）を通って第２流出路（46）へ流出する。その後、第１空気は、給気ファン（25）へ吸い込まれ、給気吹出口（24）から供給空気（SA）として室内へ供給される。
【００７０】
次に、換気除湿運転時の第２動作について、図３、図６及び図７を参照しながら説明する。この第２動作では、第２熱交換器（62）において吸着材の再生が行われ、第１熱交換器（61）において第１空気である室外空気（OA）の除湿が行われる。
【００７１】
第２動作時において、冷媒回路（60）では、四方切換弁（64）が図３(Ｂ)に示す状態に切り換えられる。この状態で圧縮機（63）を運転すると、冷媒回路（60）で冷媒が循環し、第１熱交換器（61）が蒸発器となって第２熱交換器（62）が凝縮器となる第２冷凍サイクル動作が行われる。
【００７２】
具体的に、圧縮機（63）から吐出された冷媒は、第２熱交換器（62）で放熱して凝縮し、その後に電動膨張弁（65）へ送られて減圧される。減圧された冷媒は、第１熱交換器（61）で吸熱して蒸発し、その後に圧縮機（63）へ吸入されて圧縮される。そして、圧縮された冷媒は、再び圧縮機（63）から吐出される。
【００７３】
また、第２動作時において、切換機構を構成する各開口（51,…,55,…）のダンパは、換気除湿運転時の第２流通状態に設定される。これにより、第１開口（51）と第４開口（54）と第６開口（56）と第７開口（57）とが閉鎖状態となり、第２開口（52）と第３開口（53）と第５開口（55）と第８開口（58）とが開口状態となる。そして、図６及び図７に示すように、第１熱交換器（61）へ第１空気としての室外空気（OA）が供給され、第２熱交換器（62）へ第２空気としての室内空気（RA）が供給される。
【００７４】
具体的に、室内空気吸込口（22）より流入した第２空気は、第１流入路（43）から第２開口（52）を通って第２熱交換室（42）へ送り込まれる。第２熱交換室（42）では、第２空気が第２熱交換器（62）を前から後へ向かって通過してゆく。第２熱交換器（62）では、外表面に担持された吸着材が冷媒により加熱され、この吸着材から水分が脱離する。吸着材から脱離した水分は、第２熱交換器（62）を通過する第２空気に付与される。第２熱交換器（62）で水分を付与された第２空気は、第２熱交換室（42）から第８開口（58）を通って第１流出路（44）へ流出する。その後、第２空気は、排気ファン（26）へ吸い込まれ、排気吹出口（23）から排出空気（EA）として室外へ排出される。
【００７５】
一方、室外空気吸込口（21）より流入した第１空気は、第２流入路（45）から第３開口（53）を通って第１熱交換室（41）へ送り込まれる。第１熱交換室（41）では、第１空気が第１熱交換器（61）を後から前へ向かって通過してゆく。第１熱交換器（61）では、その表面に担持された吸着材に第１空気中の水分が吸着される。その際に生じる吸着熱は、冷媒が吸熱する。第１熱交換器（61）で除湿された第１空気は、第１熱交換室（41）から第５開口（55）を通って第２流出路（46）へ流出する。その後、第１空気は、給気ファン（25）へ吸い込まれ、給気吹出口（24）から供給空気（SA）として室内へ供給される。
【００７６】
《換気加湿運転》
換気加湿運転時の場合は、上記換気除湿運転時の第１動作及び第２動作における空気の流れが、それぞれ、換気加湿運転時の第２動作及び第１動作における空気の流れになるだけなので、以下で概略のみを説明する。
【００７７】
換気加湿運転時において、調湿装置（10）は、給気ファン（25）及び排気ファン（26）の運転によって、室内空気（RA）を除湿される第１空気として取り込んで室外に排出する一方、室外空気（OA）を加湿される第２空気として取り込んで室内に供給する。
【００７８】
この換気加湿運転時の第１動作では、図８及び図９に示すように、第１熱交換器（61）において第２空気である室外空気（OA）の加湿が行われ、第２熱交換器（62）において第１空気である室内空気（RA）から水分の回収が行われる。
【００７９】
具体的には、この第１動作時において、冷媒回路（60）では、上記換気除湿運転時の第１動作と同様に、四方切換弁（64）が図３(Ａ)に示す状態に切り換えられる。この状態で圧縮機（63）を運転すると、冷媒回路（60）で冷媒が循環し、第１熱交換器（61）が凝縮器となって第２熱交換器（62）が蒸発器となる第１冷凍サイクル動作が行われる。
【００８０】
そして、この場合の空気の流れは、凝縮器である第１熱交換器（61）に室外空気（OA）を通過させる一方、蒸発器である第２熱交換器（62）に室内空気（RA）を通過させる、という上記換気除湿運転時における第２動作の第２流通状態に設定されている。
【００８１】
次に、換気加湿運転時の第２動作では、図１０及び図１１に示すように、第２熱交換器（62）において第２空気である室外空気（OA）の加湿が行われ、第１熱交換器（61）において第１空気である室内空気（RA）から水分の回収が行われる。
【００８２】
具体的には、この第２動作時において、冷媒回路（60）では、上記換気除湿運転時の第２動作と同様に、四方切換弁（64）が図３(Ｂ)に示す状態に切り換えられる。この状態で圧縮機（63）を運転すると、冷媒回路（60）で冷媒が循環し、第１熱交換器（61）が蒸発器となって第２熱交換器（62）が凝縮器となる第２冷凍サイクル動作が行われる。
【００８３】
そして、この場合の空気の流れは、蒸発器である第１熱交換器（61）に室内空気（RA）を通過させる一方、凝縮器である第２熱交換器（62）に室外空気（OA）を通過させる、という上記換気除湿運転時における第１動作の第１流通状態に設定されている。
【００８４】
−実施形態１の効果−
ケーシング（11）の内部を左右に区画して、その右側の第１空間（17）内に熱交換器（61，62）を配置し、左側の第２空間（18）内にファン（25，26）及び圧縮機（63）を配置することで、床置き型の調湿装置（10）を実現することができる。そして、熱交換器（61，62）とファン（25，26）等とを左右に配置することで、ケーシング（11）の高さ寸法を小さくすることができるとともに、空気の通過する面がケーシングの前後方向を向くように、すなわち略直方体形状の熱交換器（61，62）の長手方向が、それぞれ、ケーシング（11）の左右方向になるように２つの熱交換器（61，62）を上下に並べて配置することで、該ケーシング（11）の奥行き寸法を小さくすることができる。
【００８５】
また、調湿装置（10）を、機械室部（91）と熱交換室部（93）と空気チャンバ部（94）という別々のユニットによって構成し、それらが組み合わされて一体の装置になるようにしたので、調湿装置（10）を設置する際には、設置場所までユニット毎に搬入することができ、搬入口やエレベータなどの大きさに制限を受けることなく、容易に搬入作業を行うことができる。しかも、複数の熱交換器室部（93）を積み上げて、それらを共通の機械室部及び空気チャンバ部で接続する構成も可能となり、必要な容量に応じて調湿装置の構成を変更することができる。
【００８６】
また、熱交換室（41，42）に室内外の空気を導入するための第１流入路（43）及び第２流入路（45）内に、それぞれ、フィルタ（81，82）を設けたので、集塵効果を高めることができ、熱交換器（61，62）を確実に保護することができる。
【００８７】
さらに、室内へ空気を供給する給気吹出口（24）を、ケーシング（11）の上方に向かって開口するように設けたので、該給気吹出口（24）に接続される配管を屈曲させることなく、ケーシング（11）の上方に向かって真っ直ぐ延ばすことができる。したがって、給気配管の分だけ装置側方の配管スペースを小さくすることができる。
【００８８】
−実施形態１の変形例１−
上記実施形態では、排気吹出口（23）を、ケーシング（11）の左側面板（13）に設けていて、該吹出口（23）がケーシング（11）の左方に開口するようになっているが、図１３に示すように、排気吹出口（23）も上面板（15）に設けて、ケーシング（11）の上方に向かって開口させるようにしてもよい。こうすれば、すべての配管をケーシング（11）の上方に向かって真っ直ぐ延ばすことができるため、装置側方の配管スペースが不要になり、装置全体の幅寸法をより小さくすることができる。
【００８９】
−実施形態１の変形例２−
上記実施形態では、フィルタ（81，82）を第１流入路（43）及び第２流入路（45）内にそれぞれ配設しているが、図１４に示すように、熱交換室（41，42）内に配設するようにしてもよい。この場合には、第１熱交換器（61）の前面及び背面にそれぞれ沿うように第１熱交換器前面フィルタ（83）及び第１熱交換器背面フィルタ（84）を配設するとともに、第２熱交換器（62）の前面及び背面にそれぞれ沿うように第２熱交換器前面フィルタ（85）及び第２熱交換器背面フィルタ（86）を配設する。
【００９０】
上述のような構成にすることで、各フィルタ（83，84，85，86）の通風面積が大きくなり、該各フィルタ（83，84，85，86）を空気が通過する際の圧損を小さくすることができるため、調湿装置（10）内の通風抵抗を小さくすることができる。
【００９１】
ここで、上述の構成に限らず、室外空気（OA）が通過する側（本実施形態では、熱交換器（61，62）の背面側）にのみ、フィルタ（84，86）を設けるようにしてもよい。そして、このように室外空気（OA）が通過する側にのみフィルタを設けるようにした場合、図１５に示すように、本実施形態における室外空気吸込口（21）と室内空気吸込口（22）とを前後逆にして、室外空気（OA）が熱交換器（61，62）を前から後に向かって通過するようにすれば、フィルタ（83，85）を熱交換器（61，62）に対して前側に配置することができ、ケーシング（11）前側から容易にメンテナンスできるようになる。
【００９２】
−実施形態１の変形例３−
上記実施形態では、圧縮機（63）をケーシング（11）の第２空間（18）内に配置しているが、ケーシング（11）の外に配置するようにしてもよい。この場合、圧縮機（63）は、図１９に示すように、冷媒回路（60）の四方切換弁（64）とともに、図２０に示すような圧縮機ケーシング（66）内に配置される。なお、この図２０では四方切換弁（64）の記載を省略している。
【００９３】
上記圧縮機ケーシング（66）は、箱状の金属製ケーシング（67）の内面にウレタン樹脂等の遮音材（68）が配設されたもので、その内部空間（69）が外部から遮断された密閉状の容器になっている。
【００９４】
そして、圧縮機（63）は、圧縮機ケーシング（66）の内部空間（69）内に配置された状態で、屋外に配置される。
【００９５】
このように、圧縮機（63）を調湿装置（10）の本体とは別置きにすることで、調湿装置（10）本体から生じる騒音を低減することができる。しかも、圧縮機（63）は、密閉された圧縮機ケーシング（66）内に配置されるため、圧縮機（63）から発生する音を効果的に遮音することができる。さらに、騒音源である圧縮機（63）を屋外に設置するか、もしくは屋内の機械室に配置することで、調湿装置（10）の設置される屋内での騒音をより効果的に低減することができる。
【００９６】
なお、この実施形態では、圧縮機ケーシング（66）内に圧縮機（63）及び四方切換弁（64）を配置するようにしているが、これに限らず、圧縮機（63）のみを配置するようにしてもよいし、冷媒回路（60）の電動膨張弁（65）も一緒に配置するようにしてもよい。
【００９７】
（実施形態２）
本発明の実施形態２は、図１６及び図１７に示すように、上記実施形態１の調湿装置（10）において、ケーシング（11）内の２つの熱交換器（61，62）の並びを上下から前後に変更したものであり、図１及び図２に示す実施形態１の調湿装置（10）を後方側に９０度だけ回転させたものとほぼ同じ構造になっている。したがって、上記実施形態１と同一の部位については、同一符号を付し、実施形態１と異なる点についてのみ以下で詳しく説明する。なお、図１６（Ｂ）は、調湿装置（10）の正面図である。
【００９８】
本実施形態のケーシング（111）は、図１６に示すように、正面視が概ね長方形状で扁平な箱型に形成されていて、長手方向が水平方向になるように、例えば壁際や機械室内等に配置される。そして、ケーシング（111）の右側面板（112）には、その上面板（115）寄りでケーシング（111）前側に室内空気吸込口（122）が形成される一方、底面板（114）寄りでケーシング（111）後側に室外空気吸込口（121）が形成されている。また、ケーシング（111）の左側面板（113）には、それぞれ、その底面板（114）寄りに給気吹出口（124）及び上面板（115）寄りに排気吹出口（123）が形成されている。
【００９９】
上記ケーシング（111）の内部は、上記実施形態１と同様に、第１仕切板（31）によって左右に仕切られていて、その左側の空間が第２空間（18）を、右側の空間が第１空間（17）を、それぞれ構成している。そして、第２空間（18）内には、その上下方向の中央部を横断するように第５仕切板（35）が設けられていて、この第５仕切板（35）によって第２空間（18）は上下に仕切られている。そして、第５仕切板（35）の下側の空間が第１流出路（44）を構成し、上側の空間が第２流出路（46）を構成している。
【０１００】
上記第２流出路（46）内の空間には排気ファン（26）が配設される一方、第１流出路（44）内の空間には給気ファン（25）及び冷媒回路（60）の圧縮機（63）が配設されている。給気ファン（25）及び排気ファン（26）は厚み方向の寸法よりも径方向の寸法が大きく形成されたシロッコファンであり、その回転軸方向に開口する吸込口（25a，26a）が、それぞれ、上記第５仕切板（35）に形成された穴部を介して第２流出路（46）及び第１流出路（44）に向かって開口するように配置されている。つまり、給気ファン（25）は、ケーシング（111）の上方に向かって吸込口（25a）が開口し、排気ファン（26）は、ケーシング（111）の下方に向かって吸込口（26a）が開口するように、それぞれ配置されている。そして、上記排気ファン（26）は排気吹出口（123）に、給気ファン（25）は給気吹出口（124）にそれぞれ接続されている。
【０１０１】
なお、本実施形態では、排気ファン（26）及び給気ファン（25）として、シロッコファンを用いているが、この限りではなく、幅方向の寸法よりも径方向の寸法の方が大きい多翼ファンであればどのようなファンを用いても良い。また、図１６には図示しないが、上記第２空間内（18）には、冷媒回路（60）の電動膨張弁（65）や四方切換弁（64）も配置されている。
【０１０２】
上記ケーシング（111）の第１空間（17）には、上記実施形態１と同様に、第２仕切板（32）と第３仕切板（33）とが設けられていて、第１空間（17）は、第２仕切板（32）により、左右２つの空間に仕切られている。また、第３仕切板（33）によって、第２仕切板（32）と第１仕切板（31）とに挟まれた空間は前後に仕切られている。このうち、前側の空間は、第１熱交換室（41）を構成しており、その内部に第１熱交換器（61）が配置されている一方、後側の空間は、第２熱交換室（42）を構成しており、その内部に第２熱交換器（62）が配置されている（図１６（Ａ）参照）。
【０１０３】
各熱交換器（61,62）は、上記実施形態１と同様に、全体として厚肉の略直方体形状に形成されていて、ケーシング（111）の上下方向に空気が通過するとともに、長手方向がケーシング（111）の左右方向になるように前後に並んで各熱交換室（41，42）内に配置されている。尚、第１，第２熱交換器（61,62）の詳細については上記実施形態１と同様のため、説明を省略する。
【０１０４】
上記第１空間（17）のうち第２仕切板（32）とケーシング（111）の右側面板（112）とに挟まれた空間内には、第４仕切板（34）が設けられていて、空間を上下に仕切っている（図１６(Ｂ)を参照）。そして、第４仕切板（34）の上側の空間が第１流入路（43）を構成し、その下側の空間が第２流入路（45）を構成している。また、第１流入路（43）は室内空気吸込口（122）に連通し、第２流入路（145）は室外空気吸込口（121）に連通している。
【０１０５】
そして、上記実施形態１と同様、この第１流入路（43）及び第２流入路（45）は、流入空気チャンバを上下に区画したものであり、室内空気吸込口（122）及び室外空気吸込口（121）から送り込まれる室内外の空気を第１熱交換室（41）及び第２熱交換室（42）に導入する通路になっている。
【０１０６】
また、上記第１流入路（43）及び第２流入路（45）内には、図１６及び図１７に示すように、それぞれ、室外及び室内からの砂塵等を集塵するための第１フィルタ（81）及び第２フィルタ（82）が配設されている。このフィルタ（81，82）は、平面視で略長方形状に形成されたもので、第１流入路（43）及び第２流入路（45）内に、ケーシング（111）前方から見て第４仕切板（34）に対して斜めになるように配置される。このように、室外及び室内の空気をそれぞれ第１及び第２熱交換室（41，42）に導入するための第１及び第２流入路（43，45）内にフィルタ（81，82）を配設することで、室外及び室内からの砂塵等を効率良く除去することができ、第１及び第２熱交換器（61，62）を確実に保護することができる。
【０１０７】
しかも、上下に区画された空間である第１流入路（43）及び第２流入路（45）内にフィルタ（81，82）を設けることで、ケーシング（111）前方からフィルタ（81，82）を容易に着脱することができ、フィルタ（81，82）の清掃作業等が容易になり、メンテナンス性も向上することができる。
【０１０８】
上記第１仕切板（31）及び第２仕切板（32）には、それぞれ、実施形態１と同様の開口（51,…,55,…）が形成されていて（図１６（Ａ）及び(Ｃ)を参照）、熱交換器（61，62）の上下の空間にそれぞれ連通している。この開口（51,…,55,…）については、上記実施形態１のものが装置後方に向かって９０度回転しただけなので、詳しい説明は省略する。また、これらの各開口（51,…,55,…）は、上記実施形態１と同様に、それぞれが開閉自在のダンパを備えていて、ダンパを開閉することによって開口状態と閉鎖状態とに切り換わるようになっている。そして、各開口（51,…,55,…）に設けられたダンパは、ケーシング（111）内での第１空気及び第２空気の流通経路を切り換える切換機構を構成している。
【０１０９】
ところで、上記実施形態１と同様に、上述のような構成を有する床置き型の調湿装置（10）の場合には、装置全体が大型化するため、スムーズに搬入作業を行えない可能性がある。そのため、図１８に示すように、調湿装置（10）全体を分割可能な構造にするのが好ましい。
【０１１０】
具体的には、調湿装置（10）は、ケーシング（111）の内部を左右に区画する第１仕切板（31）で左右に分割されて、ファン等の収納される第２空間（18）を形成する機械室部（191）と、熱交換器（61，62）の収容される第１空間（17）を形成する本体部（192）とに分けられているとともに、この本体部（192）がさらに第２仕切板（32）で左右に分割されて、熱交換室（41，42）を形成する熱交換室部（193）と空気チャンバ部（194）とに分けられている。
【０１１１】
より詳しくは、ケーシング（111）は、上面板（115）及び底面板（114）が第１仕切板（31）及び第２仕切板（32）で左右方向に３つに分割されている。そして、ケーシング（111）の左側部分に、圧縮機（63）、給気用ファン（25）及び排気用ファン（26）、第５仕切板（35）が配置された状態でユニット化されたものが機械室部（191）であり、内部に熱交換室（41，42）が区画形成されるケーシング（111）の中央部分に、熱交換器（61，62）が収納された状態でユニット化されたものが熱交換室部（193）である。なお、この熱交換室部（193）には、第１仕切板（31）及び第２仕切板（32）に形成された各開口（51,…,55,…）の開閉状態を切り換えるダンパも含まれている。
【０１１２】
また、ケーシング（111）の右側部分に、第４仕切板（34）及びフィルタ（81，82）が配置された状態でユニット化されたものが空気チャンバ部（194）になっている。
【０１１３】
そして、上述のように構成される３つのユニット（機械室部（191）、熱交換室部（193）、空気チャンバ部（194））は、ボルト締結等で容易に組み立て可能になっていて、別々に設置スペースまで搬入された後、組み立てられて一体の調湿装置（10）となる。これにより、装置搬入時にエレベータや搬入口等の大きさによって制限を受けることなく、容易に搬入作業を行うことができる。
【０１１４】
なお、ケーシング（111）内に配置される冷媒回路（60）の構成は、上記実施形態１のものと同様であり、調湿装置（10）の調湿動作についても、実施形態１のものを装置後方に９０度回転させるとともに、空気吸込口（21，22）及び吹出口（23，24）の配置を変えただけであり、装置内の通風経路は同じなので説明を省略する。
【０１１５】
−実施形態１の効果−
ケーシング（111）の内部を左右に区画して、その右側の第１空間（17）内に熱交換器（61，62）を配置し、左側の第２空間（18）内にファン（25，26）及び圧縮機（63）を配置することで、床置き型の調湿装置（10）を実現することができる。そして、空気の通過する面がケーシング（111）の前後方向を向くように、すなわち略直方体形状の熱交換器（61，62）の長手方向が、それぞれ、ケーシング（111）の左右方向になるように２つの熱交換器（61，62）を前後に並べて配置することで、該ケーシング（111）の高さ寸法を小さくすることができる。
【０１１６】
また、調湿装置（10）を、機械室部（191）と熱交換室部（193）と空気チャンバ部（194）という別々のユニットによって構成し、それらが組み合わされて一体の装置になるようにしたので、調湿装置（10）を設置する際には、設置場所にユニット毎に搬入することができ、搬入口やエレベータなどの大きさに制限を受けることなく、容易に搬入作業を行うことができる。しかも、上述のようにユニット化することで、複数の熱交換器室部（193）を積み上げて、それらを共通の機械室部及び空気チャンバ部で接続する構成が可能となり、必要な容量に応じて調湿装置の構成を容易に変更することができる。そして、上述のように、調湿装置（10）は、高さ寸法が小さくなるように構成されているため、より多くの熱交換室部（193）を積み上げられるようになっている。
【０１１７】
また、熱交換室（41，42）に室内外の空気を導入する第１流入路（43）及び第２流入路（45）内に、それぞれ、フィルタ（81，82）を設けたので、集塵効果を高めることができ、熱交換器（61，62）を確実に保護することができる。しかも、第１流入路（43）及び第２流入路（45）は、上下に区画された空間であるため、その内部に配設されるフィルタ（81，82）はケーシング（111）前方から容易に着脱することができ、メンテナンス性も良い。
【０１１８】
−実施形態２の変形例１−
上記実施形態では、フィルタ（81，82）を第１流入路（43）及び第２流入路（44）にそれぞれ配設しているが、上記実施形態１と同様、熱交換室（41，42）内に配設するようにしてもよい。この場合、特に図示しないが、第１熱交換器（61）の上下面にそれぞれ沿うように第１熱交換器フィルタを配設するとともに、第２熱交換器（62）の上下面にそれぞれ沿うように第２熱交換器フィルタを配設すればよい。上述のような構成にすることで、上記実施形態１と同様に、フィルタの通風面積が大きくなり、該フィルタを空気が通過する際の圧損を小さくすることができるため、調湿装置（10）内の通風抵抗を小さくすることができる。
【０１１９】
なお、この場合にも、上記実施形態１と同様、室外空気（OA）が通過する面にのみフィルタを設けるようにしてもよい。
【０１２０】
−実施形態２の変形例２−
上記実施形態では、圧縮機（63）をケーシング（111）の第２空間（18）内に配置しているが、上記実施形態１と同様に、圧縮機（63）をケーシング（111）とは別置きにして、密閉容器の圧縮機ケーシング（66）内に配置してもよい。
【０１２１】
このように、圧縮機（63）を調湿装置（10）の本体とは別置きにすることで、調湿装置（10）本体から生じる騒音を低減することができる。しかも、圧縮機（63）は、密閉された圧縮機ケーシング（66）内に配置されるため、圧縮機（63）から発生する音を効果的に遮音することができる。さらに、圧縮機（63）を屋外に設置するか、もしくは屋内の機械室に配置することで、調湿装置（10）の配置される屋内での騒音をさらに効果的に低減することができる。
【０１２２】
なお、この実施形態では、圧縮機ケーシング（66）内に圧縮機（63）及び四方切換弁（64）を配置するようにしているが、上記実施形態１と同様、これに限らず、圧縮機（63）のみを配置するようにしてもよいし、冷媒回路（60）の電動膨張弁（65）も一緒に配置するようにしてもよい。
【０１２３】
（その他の実施形態）
本発明の構成は、上記実施形態に限定されるものではなく、それ以外の種々の構成を包含するものである。すなわち、上記実施形態１及び２では、ケーシング（11，111）前方からみて、左側の空間である第２空間（18）内に圧縮機（63）及びファン（25，26）を配置し、右側の空間である第１空間（17）内に熱交換器（61，62）を配置しているが、これに限らず、左側の空間に熱交換器（61，62）を配置して、右側の空間にファン（25，26）等を配置してもよい。
【０１２４】
また、上記実施形態１では、ケーシング（11）の上面板（15）の該ケーシング（11）前側に室内空気吸込口（22）を、後側に室外空気吸込口（21）をそれぞれ設けるようにしているが、これに限らず、吸込口（21，22）の位置は前後逆であってもよいし、右側面板（12）に形成するようにしてもよい。同様に、上記実施形態２においても、室内空気吸込口（122）及び室外空気吸込口（121）の位置が上下逆であってもよい。なお、当然のことながら、室内空気吸込口（12，122）及び室外空気吸込口（21，121）の位置を上記実施形態１及び２の位置に対して逆にすれば、給気吹出口（24，124）及び排気吹出口（23，123）の位置も上記実施形態１及び２に対して逆になる。
【産業上の利用可能性】
【０１２５】
以上説明したように、本発明における調湿装置は、床面上に設置される床置き型の装置に特に有用である。
【図面の簡単な説明】
【０１２６】
【図１】実施形態１における調湿装置の概略構成図（（Ａ）Ｘ−Ｘ線矢視図（Ｂ）正面図（Ｃ）Ｙ−Ｙ矢視図）である。
【図２】図１の（Ａ）Ｐ−Ｐ線矢視図（Ｂ）Ｑ−Ｑ線矢視図を示す断面図である。
【図３】調湿装置の冷媒回路を示す配管系統図である。
【図４】換気除湿運転の第１動作における空気の流れを示す調湿装置の概略構成図（（Ａ）Ｘ−Ｘ線矢視図（Ｂ）正面図（Ｃ）Ｙ−Ｙ矢視図）である。
【図５】換気除湿運転の第１動作における空気の流れを示す調湿装置の概略構成図（（Ａ）Ｐ−Ｐ線矢視図（Ｂ）Ｑ−Ｑ線矢視図）である。
【図６】換気除湿運転の第２動作における空気の流れを示す調湿装置の概略構成図（（Ａ）Ｘ−Ｘ線矢視図（Ｂ）正面図（Ｃ）Ｙ−Ｙ矢視図）である。
【図７】換気除湿運転の第２動作における空気の流れを示す調湿装置の概略構成図（（Ａ）Ｐ−Ｐ線矢視図（Ｂ）Ｑ−Ｑ線矢視図）である。
【図８】換気加湿運転の第１動作における空気の流れを示す調湿装置の概略構成図（（Ａ）Ｘ−Ｘ線矢視図（Ｂ）正面図（Ｃ）Ｙ−Ｙ矢視図）である。
【図９】換気加湿運転の第１動作における空気の流れを示す調湿装置の概略構成図（（Ａ）Ｐ−Ｐ線矢視図（Ｂ）Ｑ−Ｑ線矢視図）である。
【図１０】換気加湿運転の第２動作における空気の流れを示す調湿装置の概略構成図（（Ａ）Ｘ−Ｘ線矢視図（Ｂ）正面図（Ｃ）Ｙ−Ｙ矢視図）である。
【図１１】換気加湿運転の第２動作における空気の流れを示す調湿装置の概略構成図（（Ａ）Ｐ−Ｐ線矢視図（Ｂ）Ｑ−Ｑ線矢視図）である。
【図１２】調湿装置がユニット化された状態を示す図である。
【図１３】排気吹出口をケーシングの上面板に設けた場合の調湿装置の概略構成図（（Ａ）Ｘ−Ｘ線矢視図（Ｂ）正面図（Ｃ）Ｙ−Ｙ線矢視図）である。
【図１４】フィルタを熱交換器の前面及び背面に沿うように配設した場合の調湿装置の概略構成図（（Ａ）Ｐ−Ｐ線矢視図（Ｂ）正面図（Ｃ）Ｑ−Ｑ線矢視図）である。
【図１５】フィルタを熱交換器の前面に沿うように配設した場合の調室装置の概略構成図（（Ａ）Ｐ−Ｐ線矢視図（Ｂ）正面図（Ｃ）Ｑ−Ｑ線矢視図）である。
【図１６】実施形態２における調湿装置の概略構成図（（Ａ）Ｘ−Ｘ線矢視図（Ｂ）正面図（Ｃ）Ｙ−Ｙ矢視図）である。
【図１７】実施形態２における調湿装置の概略構成図（Ｐ−Ｐ線矢視図）である。
【図１８】調湿装置がユニット化された状態を示す図である。
【図１９】圧縮機別置きの場合の調湿装置の冷媒回路の一例を示す配管系統図である。
【図２０】圧縮機が圧縮機ケーシング内に配置されている状態を示す図である。
【符号の説明】
【０１２７】
（10）  調湿装置
（11）  ケーシング
（16）  内部空間
（17）  第１空間
（18）  第２空間
（23）  排気吹出口（排気口）
（24）  給気吹出口（給気口）
（25）  給気用ファン
（26）  排気用ファン
（41）  第１熱交換室
（42）  第２熱交換室
（43）  第１流入路
（45）  第２流入路
（60）  冷媒回路
（61）  第１熱交換器（第１の熱交換器）
（62）  第２熱交換器（第２の熱交換器）
（63）  圧縮機
（66）  圧縮機ケーシング
（81）  第１フィルタ
（82）  第２フィルタ
（83）  第１熱交換器前面フィルタ
（84）  第１熱交換器背面フィルタ
（85）  第２熱交換器前面フィルタ
（86）  第２熱交換器背面フィルタ
（91）  機械室部
（92）  本体部
（93）  熱交換器室部
（94）  空気チャンバ部
【図１】
2005283045.tif 000003
【図２】
2005283045.tif 000004
【図３】
2005283045.tif 000005
【図４】
2005283045.tif 000006
【図５】
2005283045.tif 000007
【図６】
2005283045.tif 000008
【図７】
2005283045.tif 000009
【図８】
2005283045.tif 000010
【図９】
2005283045.tif 000011
【図１０】
2005283045.tif 000012
【図１１】
2005283045.tif 000013
【図１２】
2005283045.tif 000014
【図１３】
2005283045.tif 000015
【図１４】
2005283045.tif 000016
【図１５】
2005283045.tif 000017
【図１６】
2005283045.tif 000018
【図１７】
2005283045.tif 000019
【図１８】
2005283045.tif 000020
【図１９】
2005283045.tif 000021
【図２０】
2005283045.tif 000022